(57)【特許請求の範囲】
【請求項１】
所要形状に編まれた糸と該糸の編目間に配されたビーズとからなるビーズ装飾物を作製するためのビーズ装飾物作製補助具であって、
水平な上面を有する前後に長尺な長尺基台を備え、
該長尺基台の上面には、糸を掛けるための複数のピンが、長尺基台の長尺方向に沿って二列に千鳥足状に立設されており、
さらに、長尺基台の上面両側縁には、同側縁寄りのピン間毎に、ビーズが内嵌可能な凹部が夫々形成されていることを特徴とするビーズ装飾物作製補助具。
【請求項２】
長尺基台の手前側の両側に、糸を仮保持可能な保持部材を備えることを特徴とする請求項１記載のビーズ装飾物作製補助具。
【請求項３】
長尺基台の奥側の端部のピンに隣設されて、該ピンとの間に糸を挟持する挟持部材を備えることを特徴とする請求項１又は請求項２に記載のビーズ装飾物作製補助具。
【発明の詳細な説明】
【技術分野】
【０００１】
本発明は、ビーズ装飾物を作製するのに使用するビーズ装飾物作製補助具に関する。
【背景技術】
【０００２】
ビーズを糸に通してなるビーズ装飾物は広く知られている。こうしたビーズ装飾物は、手芸において作製されることが多く、首飾りや腕輪などに用いられる。また、こうしたビーズ装飾物の作製を補助する道具として、ビーズ通し装置が提案されている（例えば特許文献１）。かかるビーズ通し装置を用いれば、複数のビーズを簡単に数珠繋ぎにすることができる。
【０００３】
【特許文献１】特許第３７２２７５５号公報
【発明の開示】
【発明が解決しようとする課題】
【０００４】
ところで、首輪や腕輪などのビーズ装飾物は、数珠繋ぎにしたビーズをそのまま用いたものや、数珠繋ぎにしたビーズを組み合わせたものが一般的である。しかしながら、これらのビーズ装飾物は伸縮性に乏しいという欠点がある。
【０００５】
この問題に対して、本発明者は、所要形状に編まれた糸と該糸の編目間に配されたビーズとからなるビーズ装飾物を考案した。かかるビーズ装飾物は、例えば、図８に示すような構造を有しており、ビーズＢの間に存在する糸Ｃの編目Ｄの作用によって、既存のビーズ装飾物にはない編物特有の伸縮性を有する。しかしながら、かかるビーズ装飾物は手作業での作製が難しいという問題がある。かかるビーズ装飾物を製造するには、糸を所要形状に編む作業を行いながら、随時糸にビーズを通していく作業が必要となるが、ビーズ装飾物の糸は可撓性を有しているためビーズを糸に通す時に編目が崩れ易いためである。また、糸に通したビーズが動いて編目を形成する作業の邪魔となることもある。
【０００６】
本発明はかかる現状に鑑みてなされたものであり、所要形状に編まれた糸と該糸に通された複数のビーズとからなるビーズ装飾物を簡単に作製するためのビーズ装飾物作製補助具の提供を目的とする。
【課題を解決するための手段】
【０００７】
本発明は、所要形状に編まれた糸と該糸の編目間に配されたビーズとからなるビーズ装飾物を作製するためのビーズ装飾物作製補助具であって、水平な上面を有する前後に長尺な長尺基台を備え、該長尺基台の上面には、糸を掛けるための複数のピンが、長尺基台の長尺方向に沿って二列に千鳥足状に立設されており、さらに、長尺基台の上面両側縁には、同側縁寄りのピン間毎に、ビーズが内嵌可能な凹部が夫々形成されていることを特徴とするビーズ装飾物作製補助具である。
【０００８】
かかるビーズ装飾物作製補助具では、長尺基台の上面において、糸をピンに掛けながら編目を形成する手順と、該糸にビーズを通して該長尺基台の上面に形成された凹部にビーズを内嵌させる手順とを繰り返すことによって、長尺基台に沿って奥側から手前側へ編目を形成していき、所要形状に編まれた糸と該糸の編目間に配されたビーズとからなるビーズ装飾物を作製する。
【０００９】
本発明のビーズ装飾物作製補助具によれば、ビーズ装飾物の作製中は、糸の編目を長尺基台上のピンに保持しておくことができるため、糸が可撓性を有するものであっても、その編目を崩すことなく確実に編み上げることができる。
【００１０】
また、糸に通したビーズを長尺基台の凹部に内嵌させれば、当該ビーズが編目の形成の邪魔とならないように凹部内に保持しておくことができる。
【００１１】
このように、本発明のビーズ装飾物作製補助具によれば、作製中に糸の編目を安定して保持することができ、また、組み入れたビーズを適正に保持することができる。このため、作業者は、糸を編む手順と、ビーズを糸に通す手順を簡単に繰り返すことができるのである。
【００１２】
上記作製方法によって得られたビーズ装飾物は、上述のように、糸の編目と編目の間にビーズが組み込まれたものとなる。かかるビーズ装飾物は、糸の編目が適宜変形することにより編物特有の伸縮性を発揮する。
【００１３】
また、本発明のビーズ装飾物作製補助具にあって、長尺基台の手前側の両側に、糸を仮保持可能な保持部材を備える構成が提案される。かかる構成にあっては、保持部材に糸の端部を仮保持しておけば、作製中に当該糸から手を放しても編目が緩むことがない。このため、作業者は、一方の糸から手を放して他方の糸にビーズを通す作業を両手で行うなど、作業を効率的に行うことが可能となる。なお、上記保持部材としては、糸を一時的に保持可能な構成全般を採用できる。具体的には、弾性力や磁力によって糸を挟持する構成が挙げられる。
【００１４】
さらに、上記構成にあって、長尺基台の奥側の端部のピンに隣設されて、該ピンとの間に糸を挟持する挟持部材を備える構成が提案される。かかる構成にあっては、作製途中に糸がピンから脱落したり、長さ方向に移動したりするのを防止できる。
【発明の効果】
【００１５】
以上に述べたように、本発明のビーズ装飾物作製補助具によれば、ビーズ装飾物の作製中に、糸の編目が崩れないよう確実に保持することができ、また、組み入れたビーズを適正に保持することができるから、所要形状に編まれた糸と該糸の編目間に配されたビーズとからなるビーズ装飾物を容易に作製することができる。
【００１６】
また、上記構成にあって、長尺基台の手前側の両側に、糸を仮保持可能な保持部材を備える場合には、ビーズ装飾物の作製をより効率的に行うことができる。
【００１７】
さらに、上記構成にあって、長尺基台の奥側の端部のピンに隣設されて、該ピンとの間に糸を挟持する挟持部材を備える場合には、作製中に糸がピンから脱落したり、長さ方向に移動したりするのを防止できるため、作製中に糸の編目をより安定に保持できる。
【発明を実施するための最良の形態】
【００１８】
本発明の実施形態を、以下の実施例に従って説明する。
【００１９】
図１〜３に示すように、実施例のビーズ装飾物作製補助具１は、台座２の上に前後に長尺な長尺基台３を配設してなるものである。台座２は肉厚板状をなす前後方向に長尺な部材である。長尺基台３は、該台座２の上面に前後に亘って配設される。台座２の上面の手前側には、糸を仮保持可能な一対の保持部材６，６が長尺基台３の両側に配設される。ビーズ装飾物作製補助具１の材質は特に限定されず、合成樹脂や木材、金属等の一般的な材料によって構成できる。
【００２０】
長尺基台３は前後方向に亘って水平な上面を有している。該上面には糸を掛けるための細長円柱状のピン４が２４本立設される。これらのピン４は、長尺基台３の長尺方向に沿って、二列に、千鳥足状に並んでいる。なお、このピン４の本数や間隔などは、作製するビーズ装飾物に合わせて設定されるものであり特に限定されるものではない。
【００２１】
長尺基台３の上面の両側縁には、切欠状の凹部５が２４箇所形成されている。各凹部５は、ビーズを内嵌させ得る大きさの四半球状をなしている。各凹部５は、該凹部５と同側縁寄りのピン４の間に夫々形成されて、反対側縁寄りのピン４と短尺方向に対向しており、ピン４と同様に長尺基台３の長尺方向に沿って二列に千鳥足状に並んでいる。なお、本実施例に係る凹部５は四半球状であるが、ビーズが内嵌し得るものであれば凹部５の形状は特に限定されるものではない。また、凹部５の形成位置は、作製するビーズ装飾物に合わせて設定されるものであり特に限定されるものではない。
【００２２】
一対の保持部材６は夫々ゴム製の小片で構成されるものであり、図４に示すように、長尺基台３の手前側部分の両側に位置するように、台座２の上面の手前側端部に取り付けられる。各保持部材６の上部には、切り込み１１が形成されており、該切り込み１１に挿入される糸をゴムの弾性力で挟んで保持する。
【００２３】
また、図５に示すように、長尺基台３の上面の奥には、ゴム製小片からなる挟持部材７が配設される。この挟持部材７は、奥側の端部のピン４に隣設されて該ピン４の側面と接しており、挟持部材７と当該ピン４の間に挿入される糸を、ピン４から脱落しないように、且つ、長尺方向に移動しないよう挟持する。
【００２４】
以下に、図６，７を参照して、ビーズ装飾物作製補助具１の使用方法について説明する。
本実施例のビーズ装飾物作製補助具１にあっては、長尺基台３の上面において、糸Ｃをピン４に掛けながら該糸Ｃを編む手順と、該糸ＣにビーズＢを通して該長尺基台３の上面の凹部５に内嵌させる手順とを繰り返すことによって、長尺基台３の奥側から手前側へ編目ＤとビーズＢを追加していき、所要形状に編まれた糸Ｃと複数のビーズＢとからなる長尺なビーズ装飾物Ａを作製する。
【００２５】
具体的には、まず、図６ａに示すように、糸Ｃの中央部を、奥側端部のピン４と挟持部材７との間に挟持して、挟持部分の両側の糸Ｃを手前側に引き寄せる。
【００２６】
次に、図６ｂに示すように、糸Ｃの右側部分を一つ手前のピン４の周りに巻回するとともに、糸Ｃの右側部分を左側部分に絡ませることにより編目Ｄを形成する。なお、この手順に先立って、糸Ｃの左側部分を保持部材６に仮保持しておけば、作業者は該左側部分から手を放して両手を用いて効率的に編目Ｄを形成することができる。
【００２７】
続いて、図６ｃに示すように、前の手順と左右を反転させて、糸Ｃの左側部分を一つ手前のピン４に巻回するとともに、糸Ｃの右側部分に絡ませ、編目Ｄを一つ追加する。この手順では、糸Ｃの右側部分を保持部材６に仮保持しておけば、作業者は該右側部分から手を放して両手を用いて効率的に編目Ｄを形成することができる。
【００２８】
次に、図６ｄに示すように、糸Ｃの左側部分にビーズＢを一つ通し、前の手順で糸Ｃを巻回したピン４の左脇にある凹部５に当該ビーズＢを内嵌させる。
【００２９】
次に、図７ｅ，７ｆに示すように、図６ｃ，６ｄの手順を左右反転させて繰り返すことにより、編目Ｄを一つ追加するとともに、糸Ｃの右側部分にビーズＢを一つ組み入れる。なお、既に組み入れられたビーズＢは凹部５に保持されているため、かかる手順の際に当該ビーズＢが動いて作業の邪魔となることはない。
【００３０】
以下、同様にして、糸Ｃの左側部分をピン４に巻回して編目Ｄを一つ形成する手順と、該左側部分にビーズＢを一つ組み入れる手順（図７ｇ）と、糸Ｃの右側部分をピン４に巻回して編目Ｄを一つ形成する手順と、該右側部分にビーズＢを組み入れる手順（図７ｈ）とを繰り返すことにより、編目ＤとビーズＢを手前側に追加していく。そして、所要長さにまで伸長させたところで糸Ｃをピン４から抜き取れば長尺なビーズ装飾物Ａが得られる。
【００３１】
上記手順によって作製されたビーズ装飾物Ａは、図８に示すように、長尺方向に沿って千鳥足状に並んだ編目Ｄを有し、また、該編目Ｄの間に千鳥足状に組み込まれたビーズＢを有する。このビーズ装飾物Ａは、長尺方向に引っ張れば、ループ状の編目Ｄが縮径して長尺方向に大きく伸長することとなる。また、伸長させたビーズ装飾物Ａを放せば、縮径した編目Ｄが糸Ｃの可撓性により復元して、元の長さに戻ることとなる。このように、かかるビーズ装飾物Ａは編物特有の優れた伸縮性を有している。このビーズ装飾物Ａは、そのまま首飾りや腕輪に用いることができる。また、様々な装飾品の一部に用いることもできる。かかるビーズ装飾物Ａを用いた首飾りや腕輪は、伸縮性に優れるため、着脱し易く、体にフィットし易い。
【００３２】
なお、以上に述べた使用例は一例であり、本実施例のビーズ装飾物作製補助具１の使用方法は上記使用例には限られない。例えば、糸Ｃの編み方は可能な範囲で適宜変更することができる。また、ビーズを組み入れるタイミングも適宜変更可能であるし、一度に複数のビーズを組み入れることもできる。また、上記使用例では、中央部分で折り返した一本の糸でビーズ装飾物を編み上げていたが、例えば、挟持部材７とピンの間に二本の糸を挟持すれば、二本の糸を用いてビーズ装飾物を編み上げることも可能である。また、糸は、優れた可撓性を有するナイロン糸の類を用いることが望ましいが、適度な可撓性を有する糸や紐類全般を用いることが可能である。また、ビーズは、孔の開いた飾り球であればその形状や材質は特に限定されない。
【００３３】
以上のように、本実施例のビーズ装飾物作製補助具１は、長尺基台３の上面に立設された複数のピン４を有しているから、作業者は、該ピン４に編目を保持しながら糸を編むことによって、可撓性を有する糸を確実に所要形状に編み上げることができる。
【００３４】
また、ビーズ装飾物作製補助具１の手前側には保持部材６が配設されているから、作業者は、作製中に糸の端部を該保持部材６に一時的に保持させることによって、作業を効率的に行うことができる。
【００３５】
また、長尺基台３の上面の両側縁には切欠状の凹部５が形成されているから、作業者は、糸に組み入れたビーズを該凹部５に内嵌することにより、当該ビーズＢが編目の形成の邪魔にならないように保持しておくことができる。また、この凹部５は、編目Ｄを形成する際に糸の端部を他側の糸の下に通すためのスペースとしても役立つ。
【００３６】
また、長尺基台３の最も奥側のピン４には挟持部材７が隣設されているから、作業者は、該挟持部材７と該ピン４との間に糸を挟持させることによって、作製途中に糸がピンから脱落したり、糸が長尺方向に動いたりするのを防止できる。
【００３７】
なお、本発明におけるビーズ装飾物作製補助具は、上記実施例の形態に限らず本発明の要旨を逸脱しない範囲内において種々変更を加えることができる。例えば、上記実施例では、保持部材は台座の上面に固定されているが、保持部材は長尺基板の側面に固定しても構わない。また、保持部材の設置位置を長尺基板の長尺方向に沿って調節可能にしても構わない。また、保持部材はゴム弾性により糸を保持する構成に限らず、磁石と金属の間で糸を挟んで保持する構成など、様々な構成を採用することができる。
【図面の簡単な説明】
【００３８】
【図１】実施例のビーズ装飾物作製補助具１の斜視図である。
【図２】実施例のビーズ装飾物作製補助具１の平面図である。
【図３】実施例のビーズ装飾物作製補助具１の側面図である。
【図４】ビーズ装飾物作製補助具１の手前側の拡大斜視図である。
【図５】ビーズ装飾物作製補助具１の奥側の拡大斜視図である。
【図６】ビーズ装飾物作製補助具１の使用手順を示す説明図である。
【図７】図６から続く、ビーズ装飾物作製補助具１の使用手順を示す説明図である。
【図８】作製されたビーズ装飾物Ａの平面図である。
【符号の説明】
【００３９】
１  ビーズ装飾物作製補助具
２  支持部材
３  長尺基台
４  ピン
５  凹部
６  保持部材
７  挟持部材
１１  切り込み
Ａ  ビーズ装飾物
Ｂ  ビーズ
Ｃ  糸
Ｄ  編目
【要約】
【課題】所要形状に編まれた糸と該糸に通された複数のビーズとからなるビーズ装飾物を簡単に作製するためのビーズ装飾物作製補助具を提供する。
【解決手段】台座２の上に、水平な上面を有する長尺基台３を配設してなるビーズ装飾物作製補助具１を作製し、さらに、該長尺基台３の上面に、糸を掛けるための複数のピンが、長尺基台３の長尺方向に沿って二列に千鳥足状に立設し、長尺基台３の上面両側縁には、該側縁寄りのピン４の間毎に、ビーズが内嵌可能な凹部５を夫々形成した。
【選択図】図１【図１】
0004214168.tif 000002
【図２】
0004214168.tif 000003
【図３】
0004214168.tif 000004
【図４】
0004214168.tif 000005
【図５】
0004214168.tif 000006
【図６】
0004214168.tif 000007
【図７】
0004214168.tif 000008
【図８】
0004214168.tif 000009